(57)【要約】 【課題】  一つの頂点の角度と他の頂点の角度との数的関係を容易に判断することができる三角定規を提供する。【解決手段】  頂点１１ａ、１１ｂ、１１ｃの角度を表示する角度表示部１２ａ、１２ｂ、１２ｃが設けられた三角定規１０において、角度表示部１２ａ、１２ｂ、１２ｃは所定の角度を表示するマーカー部１３、１３・・・が頂点１１ａ、１１ｂ、１１ｃの角度に相当する個数分設けられることによって構成されている。【選択図】  図１
0003208390.tif 000002
【実用新案登録請求の範囲】
【請求項１】
頂点の角度を表示する角度表示部が設けられた三角定規において、前記角度表示部は所定の角度を表示するマーカー部が前記頂点の角度に相当する個数分設けられることによって構成されていることを特徴とする三角定規。
【請求項２】
前記角度表示部は、各頂点の近傍に設けられていることを特徴とする請求項１記載の三角定規。
【請求項３】
前記マーカー部は、半円状又は真円状に形成されていることを特徴とする請求項２記載の三角定規。
【請求項４】
前記マーカー部は、前記頂点を中心とした円を想定した場合に、前記円の周方向に沿って配設されていることを特徴とする請求項３記載の三角定規。
【請求項５】
前記三角定規の各辺部には、前記各辺部の長さ寸法を表示する色彩が付されていることを特徴とする請求項１〜４のいずれか１項に記載の三角定規。
【請求項６】
前記マーカー部は３０°を表示することを特徴とする請求項１〜４のいずれか１項に記載の三角定規。
【考案の詳細な説明】
【技術分野】
【０００１】
本考案は、三角定規に関するものである。
【背景技術】
【０００２】
従来より、三角定規が販売され児童を含めて広く需要者に使用されている。このような三角定規は、一般的には、各頂点の角度が３０°、６０°、９０°の三角定規と、４５°、４５°、９０°の三角定規と２種類存在し、これらを１組として使用する。
しかしながら、このような従来の三角定規にあっては、各頂点の角度が明記されることがなく、前記のような角度を有することを記憶して使用していた。
従って、学校の授業や自習において、児童が角度について学習するまでは、三角定規の角度に関して理解することが難しいという問題があった。
【０００３】
前記問題を解消するための技術として、例えば、特許文献１には、各頂点の角度を数字で表した三角定規が開示されており、分度器を使用することなく各頂点の角度を視認することができる。
しかしながら、特許文献１にあっては、三角定規において、一つの頂点の角度と他の頂点の角度とを比較した場合に、夫々が何倍の関係にあるのかという数的関係は、見た目では判断することができず、計算をする必要があるという不具合があった。
【先行技術文献】
【特許文献】
【０００４】
【特許文献１】実公昭第３４−６９２６号公報
【考案の概要】
【考案が解決しようとする課題】
【０００５】
本考案は、以上のような従来からの不具合を解消するためのものであって、その課題は、一つの頂点の角度と他の頂点の角度との数的関係を容易に判断することができる三角定規を提供することにある。
【課題を解決するための手段】
【０００６】
前記課題を解決するために、請求項１記載の考案にあっては、頂点の角度を表示する角度表示部が設けられた三角定規において、前記角度表示部は所定の角度を表示するマーカー部が前記頂点の角度に相当する個数分設けられることによって構成されていることを特徴とする。
【０００７】
従って、前記頂点の角度が、前記頂点の角度に相当する個数分設けられた前記マーカー部によって表示される。
【０００８】
請求項２記載の考案にあっては、前記角度表示部は、各頂点の近傍に設けられていることを特徴とする。
【０００９】
請求項３記載の考案にあっては、前記マーカー部は、半円状又は真円状に形成されていることを特徴とする。
【００１０】
請求項４記載の考案にあっては、前記マーカー部は、前記頂点を中心とした円を想定した場合に、前記円の周方向に沿って配設されていることを特徴とする。
【００１１】
請求項５記載の考案にあっては、前記三角定規の各辺部には、前記各辺部の長さ寸法を表示する色彩が付されていることを特徴とする。
【００１２】
従って、前記三角定規の辺部の長さ寸法が、前記辺部に付された色彩によって表示される。
【００１３】
請求項６記載の考案にあっては、前記マーカー部は３０°を表示することを特徴とする。
【考案の効果】
【００１４】
請求項１〜６記載の三角定規にあっては、前記頂点の角度が、前記頂点の角度に相当する個数分設けられた前記マーカー部を有する前記角度表示部によって表示されるので、前記マーカー部の個数によって、前記頂点の角度を認識することができる。
従って、一つの頂点の角度と他の頂点の角度とを比較した場合に、夫々が何倍の関係にあるのかを容易に判断という数的関係を見た目で判断することができ、その結果、一つの頂点の角度と他の頂点の角度との数的関係を容易に判断することができる三角定規を提供することができる。
【００１５】
特に、請求項３記載の三角定規にあっては、前記マーカー部は、半円状又は真円状に形成されているので、例えば、所定の角度を半円状に形成されたマーカー部によって表示すると共に、前記所定の角度の２倍の角度を真円状に形成されたマーカー部によって表示した場合には、半円状のマーカー部が表示する角度に対して、真円状のマーカー部が表示する角度が２倍であるということを容易に認識することができる。
【００１６】
請求項５記載の三角定規にあっては、前記三角定規の辺部の長さ寸法が、前記辺部に付された色彩によって表示されるので、同一の長さ寸法を有する辺部に同一の色彩が付される。
その結果、一つの辺部の長さ寸法と他の辺部の長さ寸法とを比較した場合に、どちらが大きな長さ寸法を有するのかを見た目で判断することができる。
【図面の簡単な説明】
【００１７】
【図１】図１は、本考案に係る三角定規の一実施形態において、（ａ）各頂点の角度が３０°、６０°、９０°の三角定規を示す平面図、（ｂ）４５°、４５°、９０°の三角定規を示す平面図である。
【図２】図２（ａ）及び（ｂ）は、本考案に係る三角定規の一実施形態において、使用状態を示す平面図である。
【図３】図３（ａ）、（ｂ）及び（ｃ）は、本考案に係る三角定規の一実施形態において、使用状態を示す平面図である。
【考案を実施するための形態】
【００１８】
以下、本考案の一実施の形態に係る三角定規を、図面を参照して詳細に説明する。
図１（ａ）に示すように、本実施の形態に係る三角定規１０は、透明な合成樹脂製の、頂点１１ａ、１１ｂ、１１ｃの角度が、夫々、３０°、６０°、９０°の三角定規であって、頂点１１ａ、１１ｂ、１１ｃの角度を表示する角度表示部１２ａ、１２ｂ、１２ｃが設けられている。
また、図１（ａ）に示すように、本実施の形態に係る角度表示部１２ａ、１２ｂ、１２ｃは所定の角度を表示するマーカー部１３、１３・・・が頂点１１ａ、１１ｂ、１１ｃの角度に相当する個数分設けられることによって構成されている。図１〜図３に示すように、本実施の形態に係るマーカー部１３、１３・・・は３０°を表示するように構成されている。
【００１９】
図１（ａ）に示すように、本実施の形態に係る角度表示部１２ａ、１２ｂ、１２ｃは、夫々、頂点１１ａ、１１ｂ、１１ｃの近傍に設けられている。
図１（ａ）に示すように、本実施の形態に係るマーカー部１３は、真円状に形成され、人の顔を模している。人の顔は、頂点１１ａ、１１ｂ、１１ｃを下向きにして配置されている。
図１（ａ）、図２及び図３に示すように、本実施の形態に係るマーカー部１３、１３・・・は、頂点１１ａ、１１ｂ、１１ｃを中心とした円１４ａ、１４ｂ、１４ｃを、夫々、想定した場合に、円１４ａ、１４ｂ、１４ｃの周方向に沿って配設されている。
【００２０】
図１（ａ）に示すように、本実施の形態に係る三角定規１０の辺部１５ａ、１５ｂ、１５ｃには、辺部１５ａ、１５ｂ、１５ｃの長さ寸法Ｌ１、Ｌ２、Ｌ３を、夫々、表示する色彩１６ａ、１６ｂ、１６ｃが付されている。
【００２１】
図１（ｂ）は、本考案における他の実施の形態を示す。本考案の他の実施の形態に係る三角定規２０は、透明な合成樹脂製の、頂点１１ｄ、１１ｅ、１１ｆの角度が、夫々、４５°、４５°、９０°の三角定規であって、頂点１１ｄ、１１ｅ、１１ｆの角度を表示する角度表示部１２ｄ、１２ｅ、１２ｆが設けられている。
また、図１（ｂ）に示すように、本実施の形態に係る角度表示部１２ｄ、１２ｅは、マーカー部１３及び１３ａにより構成され、マーカー部１３は３０°を、マーカー部１３ａは１５°を、夫々、表示するように構成されている。
図１（ｂ）に示すように、本実施の形態に係るマーカー部１３は、真円状であって、人の顔を模して形成されている。また、本実施の形態に係るマーカー部１３ａは、半円状であって、人の顔の左半分、又は、右半分を模して形成されている。
【００２２】
図１（ａ）に示すように、本実施の形態に係る三角定規２０の辺部１５ｄ、１５ｅ、１５ｆの端縁には、辺部１５ｄ、１５ｅ、１５ｆの長さ寸法Ｌ４、Ｌ５、Ｌ６を、夫々、表示する色彩１６ｄ、１６ｅ、１６ｆが付されている。
それ以外の構成については、三角定規１０の構成と同一であり、同一符号で表すことにより説明を省略する。
【００２３】
一般的に、一組の三角定規において、各頂点の角度が３０°、６０°、９０°の三角定規（半正三角形）の長い方の隣辺と、各頂点の角度が４５°、４５°、９０°の三角定規（直角二等辺三角形）の斜辺とは長さが等しい。
図１（ａ）及び（ｂ）に示すように、本実施の形態に係る三角定規１０、２０においても同様に、三角定規１０の辺部１５ｂ（長い方の隣辺）の長さ寸法Ｌ２と、三角定規２０の辺部１５ｆ（斜辺）の長さ寸法Ｌ６とは、同一の長さ寸法に形成されている。従って、辺部１５ｂの色彩１６ｂと辺部１５ｆの色彩１６ｆとは、同一の色彩が付されている。
【００２４】
以下、本実施の形態に係る三角定規１０及び２０の作用について、図を参照しながら詳細に説明する。
図１（ａ）に示すように、本実施の形態に係る三角定規１０にあっては、頂点１１ａ、１１ｂ、１１ｃの角度が、頂点１１ａ、１１ｂ、１１ｃの角度に相当する個数分設けられたマーカー部１３、１３・・・を有する角度表示部１２ａ、１２ｂ、１２ｃによって表示されるので、マーカー部１３、１３・・・の個数によって、頂点１１ａ、１１ｂ、１１ｃの角度を認識することができる。
従って、一つの頂点の角度と他の頂点の角度とを比較した場合に、夫々が何倍の関係にあるのかを容易に判断という数的関係を見た目で判断することができ、その結果、一つの頂点の角度と他の頂点の角度との数的関係を容易に判断することができる三角定規を提供することができる。
【００２５】
図１（ａ）に示すように、本実施の形態に係る三角定規１０にあっては、三角定規１０の辺部１５ａ、１５ｂ、１５ｃの長さ寸法Ｌ１、Ｌ２、Ｌ３が、辺部１５ａ、１５ｂ、１５ｃの端縁に付された色彩１６ａ、１６ｂ、１６ｃによって表示されるので、同一の長さ寸法を有する辺部に同一の色彩が付される。
その結果、一つの辺部の長さ寸法と他の辺部の長さ寸法とを比較した場合に、どちらが大きな長さ寸法を有するのかを見た目で判断することができる。
【００２６】
図１（ｂ）に示すように、本実施の形態に係る三角定規２０にあっては、本実施の形態に係る角度表示部１２ｄ、１２ｅは、マーカー部１３及び１３ａにより構成され、３０°を表示するマーカー部１３は真円状に形成され、１５°を表示するマーカー部１３ａは半円状に形成されているので、半円状のマーカー部１３ａが表示する角度（１５°）に対して、真円状のマーカー部１３が表示する角度（３０°）が２倍であるということを容易に認識することができる。
【００２７】
また、図２及び図３に示すように、本実施の形態に係る三角定規１０を使用する場合には、三角定規１０を複数枚使用して、図形を作成することができる。
本実施の形態に係る三角定規１０を４枚使用することによって、例えば、ひし形（図２（ａ）及び（ｂ））、正方形（図３（ａ））、等脚台形（図３（ｂ）及び（ｃ））を表すことができる。
このように使用した場合には、各図形における頂点の角度（頂角）、内角、外角の関係、又は、夫々の角度の和を容易に認識し、理解することができる。
【００２８】
また、図１（ａ）に示すように、本実施の形態に係るマーカー部１３、１３・・・は、頂点１１ａ、１１ｂ、１１ｃを中心とした円１４ａ、１４ｂ、１４ｃを、夫々、想定した場合に、円１４ａ、１４ｂ、１４ｃの周方向に沿って配設されているので、例えば、図２（ａ）に示すひし形の中心には、頂点１１ｃを４つ合体させるとマーカー部１３、１３・・・によって円が描かれ、一周となることを明示することができる。
また、図１（ａ）に示すように、本実施の形態に係る三角定規１０にあっては、三角定規１０の辺部１５ａ、１５ｂ、１５ｃの長さ寸法Ｌ１、Ｌ２、Ｌ３が、辺部１５ａ、１５ｂ、１５ｃの端縁に付された色彩１６ａ、１６ｂ、１６ｃによって表示されているので、各図形における辺部の長さ寸法の関係、又は、夫々の長さ寸法の和を容易に認識し、理解することができる。その結果、面積の公式や三平方の定理の証明も、容易に理解することができる。
【００２９】
本実施の形態に係るマーカー部１３は、真円状であって、人の顔を模して形成され、本実施の形態に係るマーカー部１３ａは、半円状であって、人の顔の左半分、又は、右半分を模して形成されている場合を例に説明したが、前記構成に限定されず、四角形状や三角形状等、種々の形状を採用することができる。
【産業上の利用可能性】
【００３０】
本考案に係る三角定規は、一般の三角定規として広く使用することができ、産業上利用可能性を有している。
【符号の説明】
【００３１】
１０、２０：三角定規
１１ａ、１１ｂ、１１ｃ、１１ｄ、１１ｅ、１１ｆ…頂点
１２ａ、１２ｂ、１２ｃ、１２ｄ、１２ｅ、１２ｆ…角度表示部
１３ａ、１３ｂ、１３ｃ、１３ｄ、１３ｅ、１３ｆ…マーカー部
１４ａ、１４ｂ、１４ｃ、１４ｄ、１４ｅ、１４ｆ…円
１５ａ、１５ｂ、１５ｃ、１５ｄ、１５ｅ、１５ｆ…辺部
１６ａ、１６ｂ、１６ｃ、１６ｄ、１６ｅ、１６ｆ…色彩
【図１】
0003208390.tif 000003
【図２】
0003208390.tif 000004
【図３】
0003208390.tif 000005